(57)【要約】付属具保持器（７０）が患者支持装置（１０）と共に用いるよう設けられ付属具（１３）を患者支持装置に対し位置決めする。付属具保持器が第１の本体（７６）と第２の本体（１２０）と連結装置（８８，１１６）とを含んでいる。第１の本体は患者支持装置に連結されるようになっており空洞（１１９）を含んでいる。第２の本体は第１の本体の空洞の中に位置する。第１及び第２の本体の少なくとも一方が付属具を受け入れるように構成されている。連結装置は第１及び第２の本体の少なくとも一方に連結され第２の本体を第１の本体に対し回動させるよう構成されている。
2004511260.tif 000002
【特許請求の範囲】
【請求項１】
患者支持装置と共に用い付属具を患者支持装置に対し位置決めする付属具保持装置であって、
患者支持装置に連結され、空洞を有する第１の本体と、
第１の本体の空洞の中に位置する第２の本体と、
第１及び第２の本体の少なくとも一方に連結された連結装置
とを具備し、
第１及び第２の本体の少なくとも一方が付属具を受け入れるよう構成され、
連結装置が第２の本体を第１の本体に対し回動させるよう構成されている、
付属具保持装置。
【請求項２】
第１及び第２の本体が付属具を受け入れる穴を含み連結装置が第２の本体を第１の本体に対し付属具の周りに回動させるよう構成されている請求項１に記載の付属具保持装置。
【請求項３】
第１の本体が付属具を受け入れる大きさの穴を含んでいる請求項１に記載の付属具保持装置。
【請求項４】
第１の本体の穴と空洞とが連通している請求項３に記載の付属具保持装置。
【請求項５】
第２の本体が第１の本体の穴と連通し付属具を受け入れる大きさの穴を含んでいる請求項３に記載の付属具保持装置。
【請求項６】
第１の本体が穴を含み、第２の本体がねじ付き穴を含み、連結装置が第１及び第２の本体の穴の中に位置するねじ付きシャットを含み、連結装置の回転がねじ付きシャットを回転させ第２の本体を第１の本体に対し動かすようにする請求項１に記載の付属具保持装置。
【請求項７】
第１及び第２の本体が付属具を受け入れる大きさの穴を区画形成する壁を含み、連結装置の回転が第１及び第２の本体の壁を相互に対し動かすようにする請求項６に記載の付属具保持装置。
【請求項８】
第２の本体が第１の断面積を有する第１の部分と第１の断面積より小さい第２の断面積を有する第２の部分とを含んでいる請求項６に記載の付属具保持装置。
【請求項９】
第２の本体の第１の部分が実質的に円筒部分であり第２の本体の第２の部分が実質的にテーパー部分である請求項８に記載の付属具保持装置。
【請求項１０】
第２の本体の第１の部分が付属具を受け入れるよう構成され第２の本体の第２の部分が連結装置を受け入れるよう構成されている請求項８に記載の付属具保持装置。
【請求項１１】
第１及び第２の本体が付属具を受け入れる大きさの穴を区画形成する壁を含み、連結装置の回転が第１及び第２の本体の壁を相互に対して動かすようにする請求項１に記載の付属具保持装置。
【請求項１２】
患者支持装置と共に用いる付属具保持装置であって、
障壁と、
足保持器と、
患者支持装置に連結される本体
とを具備し、
障壁と脚保持器とが本体に連結されている、付属具保持装置。
【請求項１３】
障壁が側部レールである請求項１２に記載の付属具保持装置。
【請求項１４】
障壁が手すりである請求項１２に記載の付属具保持装置。
【請求項１５】
本体が第１及び第２の連結部分を含み障壁と脚保持器が第１及び第２の連結部分にそれぞれ連結されている請求項１２に記載の付属具保持装置。
【請求項１６】
第１及び第２の連結部分が穴である請求項１５に記載の付属具保持装置。
【請求項１７】
第１及び第２の連結部分が障壁と脚保持器とを本体に対し回転させる請求項１５に記載の付属具保持装置。
【請求項１８】
障壁と脚保持器とをそれぞれ本体に固定するよう構成された第１及び第２の連結装置をさらに具備している請求項１２に記載の付属具保持装置。
【請求項１９】
第１の連結装置がスプリングで付勢されたピンである請求項１８に記載の付属具保持装置。
【請求項２０】
第２の連結装置が締めつけ機構である請求項１８に記載の付属具保持装置。
【請求項２１】
第１及び第２の連結装置が障壁と脚保持器とを本体に対して回転させる請求項１８に記載の付属具保持装置。
【請求項２２】
患者支持装置と共に用いる付属具保持装置であって、
手すりと、
脚保持器と、
患者支持装置に連結され、手すりと脚保持器とが連結されるようになっている本体、
とを具備している付属具保持装置。
【請求項２３】
本体が第１及び第２の連結部分を含み、手すりと脚保持器とが第１及び第２の連結部分にそれぞれ連結されている請求項２２に記載の付属具保持装置。
【請求項２４】
第１及び第２の連結部分が穴である請求項２３に記載の付属具保持装置。
【請求項２５】
第１及び第２の連結部分が手すりと脚保持器とを本体に対し回転させる請求項２３に記載の付属具保持装置。
【請求項２６】
手すりと脚保持器とを本体にそれぞれ固定するよう構成された第１及び第２の連結装置をさらに具備している請求項２２に記載の付属具保持装置。
【請求項２７】
第１の連結装置がスプリングで付勢されたピンである請求項２６に記載の付属具保持装置。
【請求項２８】
第２の連結装置が締めつけ機構である請求項２６に記載の付属具保持装置。
【請求項２９】
第１及び第２の連結装置が手すりと脚保持器とを本体に対し回転させる請求項１８に記載の付属具保持装置。
【請求項３０】
患者支持装置であって、
主本体と主本体に連結され又は主本体から取外される部分である取外し自在の支持部分とを有し、主本体が頭端部と足端部とを有している患者支持台と、
患者支持台に連結された保持器と、
保持器に連結された腕部材と、
保持器に連結された連結装置、
とを具備し、
連結装置が腕部材と相互に作用し腕部材の患者支持台に対する位置を固定する第１の位置と腕部材を患者支持台に対し動かす第２の位置との間で動くことができる、
患者支持装置。
【請求項３１】
腕部材が保持器に連結された基端部と保持器から離間した末端部とを含んでいる請求項３０に記載の患者支持装置。
【請求項３２】
連結装置が第２の位置にある時、腕部材が、腕部材の末端部が患者支持台の主本体の頭端部と保持器との間に位置する第１の位置と、保持器が腕部材の末端部と主本体の頭端部との間に位置する第２の位置との間で、動くことができる請求項３１に記載の患者支持装置。
【請求項３３】
連結装置が第２の位置にある時、腕部材が、腕部材が側部障壁として作用する第１の位置と、腕部材が患者支持台上を動きまた患者支持台から離れる患者のための握りとして作用する第２の位置との間で、動くことができる請求項３０に記載の患者支持装置。
【請求項３４】
連結装置がスプリング付勢のピンを含んでいる請求項３０に記載の患者支持装置。
【請求項３５】
腕部材がスプリング付勢のピンを受け入れるよう構成された離間した穴を含んでいる請求項３０に記載の患者支持装置。
【請求項３６】
腕部材がわん曲している請求項３０に記載の患者支持装置。
【請求項３７】
脚保持器と脚保持器を保持器に連結するよう構成された連結装置とをさらに具備している請求項３０に記載の患者支持装置。
【請求項３８】
患者支持台のための足部分であって、足部分が
底面と頂面と頭端部分と足端部分とを有する本体と、
本体に連結された第１の部分と本体から離間し足端部に近接する第２の部分とを有し、第２の部分が本体の頂面に実質的に直角となっている、Ｌ字形の支持体
とを含んでいる、患者支持台の足部分。
【請求項３９】
本体に連結された第１の部分とＬ字形の支持体に連結された第２の部分とを有する第２の支持体をさらに具備している請求項３８に記載の足部分。
【請求項４０】
第２の支持体が本体に連結された第１の端部と、本体に連結された第２の端部と、Ｌ字形支持体に連結された中央部分とを含んでいる請求項３９に記載の足部分。
【請求項４１】
Ｌ字形支持体の第２の部分がＬ字形支持体の第１の部分に連結された第１の端部と第２の端部とを含み、本体の頂面が頂部平面上に位置する最上面を含み、頂部平面がＬ字形支持体の第２の部分の第１の端部と第２の端部との間に位置している請求項３８に記載の足部分。
【請求項４２】
Ｌ字形支持体が本体の底面に連結されている請求項３８に記載の足部分。
【請求項４３】
患者支持台のための足部分であって、足部分が
底面と頂面と頭端部分と足端部分とを有し、頂面が頂部平面上に位置する最上面を含んでいる本体と、
本体に連結された第１の部分と本体から離間し足端部分に近接した第２の部分とを有する支持体、
とを含み、
本体の頂部平面が支持体の第１の部分と第２の部分との間に位置している、
患者支持台の足部分。
【請求項４４】
支持体がＬ字形である請求項４３に記載の足部分。
【請求項４５】
支持体が本体に連結された第１の端部と、本体に連結された第２の端部と、第１の端部と第２の端部との間に位置する中央部分とを含み、頂部平面が第１及び第２の端部と中央部分との間に位置している請求項４３に記載の足部分。
【請求項４６】
支持体が、本体に連結された第１の部分と第２の部分とを有するＬ字形支持体と、本体に連結された第１の端部と本体に連結された第２の端部とＬ字形支持体に連結された中央部分とを有する第２の支持体とを含んでいる請求項４３に記載の足部分。
【請求項４７】
本体の頂部平面が第２の支持体の中央部分と第２の支持体の第１及び第２の端部との間に位置している請求項４６に記載の足部分。
【発明の詳細な説明】
【０００１】
背景及び概要
本出願はその開示が本明細書に明確に合体されている１９９９年１２月１３日に出願された米国暫定出願連続番号６０／１７０，３０４の特典を請求するものである。
【０００２】
本発明は患者支持装置に関する。さらに詳細には、本発明は分娩台、外科手術台、担架、寝台、椅子のような患者支持装置又は他の型の患者支持装置に連結するよう構成された付属器具に関する。
【０００３】
分娩台を設けることは例えば米国特許第５，１５７，８００号に示されるように公知である。また患者支持台に付属具を取付けることも例えば米国特許第５，８３６，５５９号及び同第５，１３５，２１０号に示されるように公知である。
【０００４】
本発明によれば、患者支持台と共に用いる付属具保持装置が付属具を患者支持台に対して位置決めするために提供される。この付属具保持装置は第１及び第２の本体と連結装置とを含んでいる。第１の本体は患者支持台に連結するようになっておりまた空洞を含んでいる。第２の本体は第１の本体の空洞の中に配置される。第１及び第２の本体の少なくとも一方が付属具を受け入れるよう構成されている。連結装置は第１及び第２の本体の少なくとも一方が第２の本体を第１の本体に対して回動させるよう構成されている。
【０００５】
さらに、本発明によれば、患者支持台と共に用いる付属具保持装置が提供される。付属具保持装置は障壁、脚保持器、及び患者支持台に連結するようになっている本体を含んでいる。障壁を脚保持器とは本体に連結される。
【０００６】
さらに、本発明によれば、患者支持台と共に用いる付属具保持装置が提供される。付属具保持装置は手すり、脚保持器、及び患者支持台に連結するようになっている本体を含んでいる。手すりと脚保持器とは本体に連結されている。
【０００７】
患者支持台、保持器、腕部材、及び連結装置を含む患者支持装置がまた提供される。患者支持台は主本体と患者支持台に連結され又は患者支持台から取外される取外し自在の足支持部分とを含み、腕部材は保持器に連結される。連結装置は保持器に連結され、また腕部材と相互に作用し腕部材の患者支持台に対する位置を固定する第１の位置と腕部材から離間し腕部材を患者支持台に対して動かす第２の位置との間で動くことができる。
【０００８】
本発明によれば、患者支持台のための取外し自在の足部分が提供される。この足部分は本体とＬ字形支持体とを含んでいる。本体は底面、頂面、頭端部分、及び足端部分を含んでいる。Ｌ字形支持体は本体に連結された第１の部分と本体から離間され足端部分に近接した第２の部分とを含んでいる。第２の部分は実質的に本体の底面に直角となっている。
【０００９】
本発明によれば、患者支持台のための取外し自在の足部分が提供される。この足部分は底面、頂面、頭端部分、及び足端部分を有する本体を含んでいる。本体の頂面は頂部平面上に位置する最上面を含んでいる。足部分はさらに本体に連結された第１の部分と足端部分に近接し本体から離間した第２の部分とを有する支持体を含んでいる。本体の頂部平面は支持体の第１の部分と第２の部分との間に位置する。
【００１０】
本発明の付加的な特徴は現に認められるように本発明を実施する最良の形態を例示する図示の実施態様についての以下の詳細な記載を考察することにより当業者にとって明らかとなるであろう。
【００１１】
詳細な記載は特に添付図面を参照する。
【００１２】
図面の詳細な記載
患者支持装置１０と患者支持装置１０に連結される付属装置１１とが図１に示されている。患者支持装置１０は、複数のキャスター（脚輪）１４、持上げ機構１６、持上げ機構１６によって基体に連結された支持フレーム１８、及びフレーム１８に連結された患者支持面２０を有する基体１２を含んでいる。付属具支持装置１１は付属具１３と付属具１３を患者支持装置１０に連結する支持体１５とを含んでいる。
【００１３】
患者支持面２０は背中支持部分２２、座部支持部分２４、及び取外し自在の足支持部分２６を含んでいる。図示の実施態様において、取外し自在の足支持部分２６は患者支持装置１０のフレーム１８に連結された大きな四角形の受け入れ管の内部で摺動するよう構成された四角形の取付け管を含んでいる。他の実施態様では、取外し自在の足部分が本発明により用いられる。さらに、種々のロック機構を取外し自在の足部分２６をフレーム１８に固定するために設けることができる。
【００１４】
足部分２６は頭端部分３２、足端部分３６、底面４６、及び全体が平面の頂面３０を有する本体２７を含んでいる。頂面３０は患者支持装置１０上に位置する患者の脚を支持する。図２と３に最も良く示されるように、取付け棒２８は底面４６に連結され足端部分３６に位置する第１の端部３１と第２の端部３３とを含んでいる。取付け棒２８が適当な締結具４８により取外し自在の足部分２６の底面４６に固定される。取付け棒２８は第１の端部３１から足部分２６の頭端部分３２を離れるよう延びそれにより第２の端部３３が図２に示されるように足端部分３６から離間されるようにする。
【００１５】
足部分２６はさらに図２と３に示されるように足部分２６の足端部分３６に連結された端部棒又は支持体３４を含んでいる。端部棒３４は底部分３８，４０と底部分３８，４０に連結された上方に延びる側方部分５０，５２と、側方部分５０と５２の間に延びる全体が水平の端又は中央の部分５４とを含んでいる。底部分３８，４０は足部分２６の底面４６に近接して位置しそれぞれが取付け棒２８に連結された端部４２と４４を含んでいる。
【００１６】
図３に最も良く示されるように、側方部分５０と５２は足部分２６の頂面と底面３０，４６に対し角度をなして延びている。図３に示される角度５６は底面４６に対し約４０°で示されている。他の実施態様では、側方部分は足部分の頂面と底面とに対し他の角度で整列されてもよい。
【００１７】
端部棒３４は、棒３４の水平部分５４が頂面３０の上方に位置し患者が足端部３６に近接した取外し自在の足部分２６上に横たわるのを防げるような角度となっている。頂面３０は頂部平面５７上に位置する最上部分を含んでいる。
【００１８】
足部分２６はさらに適当な締結具６４により足部分２６の底面４６に連結された中央支持ブラケット６０を含んでいる。中央支持ブラケット６０は全体がＬ字形で第１及び第２の部分６２，６６を含んでいる。第１の部分６２は足部分２６の底面４６に連結され第２の部分６６は第１の部分６２から離れるよう上方に延び溶接又は他の適当な締結方法により棒３４の端部分５４に連結されている。第２の部分６６は第１の部分６２に連結された第１の端部６３と第２の端部６５とを含んでいる。頂面３０の最上部分によって区画形成された頂部平面は支持ブラケット６０の第２の端部と足部分２６の本体２７との間と、端部棒３４の中央部分５４と本体２７との間とに位置している。
【００１９】
中央支持ブラケット６０は足部分２６が患者支持装置１０で用いられていない時に取外し自在の足部分２６を図２と３に示されるような垂直位置に支持するための台を提供する。これは取外し自在の足部分２６を図２と３に示されるように床６８に直立した垂直位置で保管できるようにし取外し自在の足部分２６が患者支持装置１０から取外された時取外し自在の足部分２６によって占められる床の空間を最小にする。
【００２０】
付属具支持装置１１の支持体１５は第１及び第２の付属具保持器７０（第２の保持器は図示されていない）と付属具保持器７０を患者支持装置１０に連結する第１及び第２の付属レール７２（第２のレールは図示しない）とを含んでいる。フレーム１８は離間した側面７１，７３を含みまた第１及び第２の付属レール７２は図１に示されるように、フレーム１８の第１及び第２の側面７１，７３にそれぞれ連結される。図４に示されるように、支持体１５はさらにスペーサ７４と各付属レール７２からスペーサ７４を通ってフレーム１８まで延び付属レール７２をフレーム１８の側面７１，７３に連結する締結具（図示しない）とを含んでいる。
【００２１】
付属具保持器７０は付属具１３を患者支持装置１０に対し所望位置に支持する。図示の実施態様において、付属具１３は図１に示されるように腕部材８６と脚保持器１１２とを含んでいる。図示の実施態様では、脚保持器１１２はニー（膝）クラッチである。他の実施態様では、脚保持器は脚あぶみのような他の用具とすることができる。腕部材８６はそれぞれ図１，４及び５に示されるように円筒状の取付け部分又はシャフト８４、シャフト８４に連結されたわん曲腕８５、及びシャフト８４とわん曲腕８５との間に位置する肩部８９を含んでいる。シャフト８４は図５に示されるように第１及び第２の離間したピン受け入れ穴９６と９８を含んでいる。
【００２２】
第１及び第２の付属具保持器７０は第１及び第２の付属レール７２にそれぞれ連結され、したがってまたフレーム１８の第１及び第２の側面と患者支持装置１０とに沿って配置される。本発明の保持器７０は、細長い本体部分７６、第１及び第２の連結部分８２，１１０、本体部分７６に連結された第１の連結器又は移動止め８８、及び第２の連結器又は締めつけ機構１１６を含んでいる。移動止め８８は付属具１３を本体部分７６に固定し締めつけ機構１１６は他の付属具１３を本体部分７６に固定しまた本体７６を付属レール７２に固定する。保持器７０の本体部分７６は患者支持装置１０の方に面する第１の側面８０、患者支持装置１０から離れて面する第２の側面７９、頂部側面８１、及び底部側面８３を含んでいる。
【００２３】
保持器７０の本体部分７６はその第１の側面８０に沿って形成された凹所又は溝を区画形成する軌道７８を含んでいる。各軌道７８は図５と６に最も良く示されるように付属レール７２の上を摺動するよう構成されている。後述されるように、締めつけ機構１１６は本体部分７６を付属レール７２上の所望位置に固定するよう構成される。
【００２４】
図示の実施態様では、本体部分７６の第１の連結部分８２は図５に最も良く示されるように頂部側面８１から底部側面８３に延びる穴８２である。腕部材８６のシャフト８４は穴８２に受け入れられそして移動止め８８により本体部分７６に対して穴８２内部の所定位置に保持される。図示の実施態様では、移動止め８８はノブ９０、ノブ９０に連結されたピン９２、及びノブ９０とピン９２を図５に示される矢印９５の方向に内側に向って付勢するスプリング９４を含む引出しピン組立体である。
【００２５】
引出しピン９０が方向９１に図５の仮想線で示される位置に動かされた時、腕部材８６は図１と４に示される実線と仮想線の位置の間で軸線１００の周りを方向１０２，１０３に回動可能である。腕部材８６はこれらの位置の間で動くことができそれにより腕部材８６は患者が患者支持装置１０上をまた患者支持装置１０から離れるよう動くのを助けまた患者支持装置１０のための側部レール又は障壁として作用するようにする。さらに、患者は医療用の処置の間腕部材８６を握ることができる。
【００２６】
患者が患者支持装置１０上を動くのを助けるため、足部分２６は取外されまた腕部材８６はその図１の仮想線で示される位置に動かされる。この位置で、腕部材８６の末端部８７は座臥部分２４の足端部に近接して位置する。したがって、腕部材８６は患者が腕部材８６を掴むことのできる位置にありそのため腕部材８６は足部分２６が取外された時患者が患者支持面２０の上をまた離れるよう動くのを助けるための補助腕を提供する。
【００２７】
患者が患者支持面２０の上にあるとき、引き出しピン９０がスプリング９４の付勢力に抗して方向９１に図５の仮想線で示す位置に動かされピン９２を穴９６から解放する。腕部材８６は次に軸線１００の周りを図４の矢印１０２の方向に図１の実線位置と図４の仮想線位置とに回動されそれにより腕部材８６が患者支持面２０上の患者のための側部レール又は障壁として作用するようにする。図示の実施態様では、腕部材８６は付属具保持器７０に対してのみ固定されしたがって患者支持装置１０は腕部材８６の第１及び第２の離間したピン受け入れ穴９６と９８の位置によって得られる２つの位置をとる。他の実施態様では、様々の位置に任意の数の穴が設けられそれにより腕部材が患者支持装置に対し任意の所望位置に固定できるようにする。
【００２８】
図示の実施態様では、保持装置７０の本体部分７６の第２の連結部分１１０は図６〜８に示されるように穴８２から離間した穴１１０である。穴１１０は本体部分７６の頂部側面８１から本体部分７６の底部側面８３まで延びている。脚保持器１１２は穴１１０の中に位置し穴１１０の内部で種々の位置に動くことができ脚保持器１１２を用いる患者に適合できるようにする。脚保持器１１２は図６と７に示されるように本体部分７６に形成された穴１１０を通って延びるよう構成された取付け桿１１４を含んでいる。
【００２９】
前に述べたように、締めつけ機構１１６は本体部分７６を付属レール７２上の所望位置に固定するよう構成されている。本体部分７６を付属レール７２に対し固定するのに加えて、締めつけ機構１１６はまた取付け桿１１４を本体部分７６に対して所望位置にロックする。締めつけ機構１１６が解放された時、取付け桿１１４は図６の２頭矢印で示される方向に上下に摺動し付属具１３の高さを調節することができ、また本体７６は図７の２頭矢印１２１によって示される方向に摺動し付属具保持器７０の位置を調節することができる。
【００３０】
締めつけ機構１１６は図８に示されるように第１の円筒部分１２２と第２のテーパー部分１２４とを有する本体部分１２０とアクチュエータ１２５とを含んでいる。締めつけ機構１１６の本体部分１２０は図７に示されるように付属具保持器７０の本体部分７６に形成された空洞１１９の内部に位置している。穴１２６が円筒部分１２２に形成され保持器１１２の取付け桿１１４は図６に示すようにこの穴１２６を通って延びている。ねじの切られた穴１２８がテーパー部分１２４に形成され図７と８に示されるように円筒部分１２２に形成された穴１２６を実質的に横断して延びている。
【００３１】
アクチュエータ１２５はねじ穴１２８の中に位置しねじ穴１２８の中で動くことができ保持器の位置を固定し又は患者支持装置１０に対し動くことができるようにする。アクチュエータ１２５はねじ付きシャフト１３０とシャフト１３０に連結されたハンドル１３２とを含んでいる。付属具保持器７０の本体部分７６の第２の側面７９はさらにねじの切られていない穴１３４を含み、ねじ付きシャフト１３０はねじのない穴１３４を通って延び図７に示されるように締めつけ機構１１６の本体部分１２０のねじ穴１２８に達する。
【００３２】
付属具保持装置７０の本体部分７６が付属レール７２上の所望位置にありまた保持器１１２が所望の高さにあるとき、アクチュエータ１２５は本体７６と保持器１１２の位置を固定するのに用いられる。本体７６と保持器１１２を固定するため、アクチュエータ１２５のハンドル１３２は軸線１３６の周りに回転される。この回転により本体１２０のテーパー部分１２４がねじ付きシャフト１３０に沿いハンドル１３２に向って図７と８の矢印１３８の方向に動かされる。テーパー部分１２４のこの運動により本体部分１２０は軸線１４０の周りに回動されそれにより本体部分１２０の端部１４２が矢印１４４の方向に動くようにする。端部１４２が矢印１４４の方向に動くにつれて端部１４２に近接した本体１２０の部分が付属レール１７２に対し矢印１４５の方向に力を加え本体部分７６を付属レール７２上の所望位置に保持する。さらに、穴１２６を本体部分１２０に区画形成する側壁１４６がまた保持器１１２の取付け桿１１４に対し矢印１４４の方向に力を加え取付け桿１１４を本体部分７６に対し選択された垂直位置に保持する。言いかえれば、アクチュエータ１２５は本体部分７６を付属レール７２上の所定位置にロックしまた保持器１１２の取付け桿１１４を本体部分７６の内部の所望位置にロックする。
【００３３】
他の実施態様では、本体１２０がカム又はリンク機構のような他の機構によって本体７６に対し回転されるようにする。さらに他の実施態様では、本体７６はねじ付き穴を含み、本体１２０はねじのない穴を有し、これらの穴はねじ付き部材を相互に作用し本体１２０を本体７６に対し動かす。
【００３４】
本発明は図示の実施態様を参照して詳細に記載されてきたが、変更や変形は特許請求の範囲に記載され規定されるように本発明の範囲と精神に含まれるものである。
【図面の簡単な説明】
【図１】
基体、基体にリンク機構によって連結されたフレーム、フレームに連結された患者支持面及びフレームに患者支持表面に近接して連結されるよう構成された複数の付属品を含む患者支持装置の斜面図である。
【図２】
本発明図示の取外し自在の足部分の底面の底面図である。
【図３】
図１及び２の取外し自在の足部分の側面図である。
【図４】
患者支持装置の付属手すりに連結されるよう構成された本発明の付属具保持装置の頂面図で、付属具保持装置に回動自在に連結され側部手すりと出入り補助棒とを得るようにしたアームを示す図である。
【図５】
図４の５−５線に沿った断面図でアームを患者支持面に対し第１及び第２の位置に保持するロックピンを示す図である。
【図６】
図４の６−６線に沿った断面図で付属具保持器の細部を示しまた付属具保持器を患者支持装置の付属手すりに固定するための締めつけ機構を示す図である。
【図７】
同時に付属具保持器を患者支持装置の付属手すりの所定位置にロックしまた脚保持器のような付属品を付属具保持器に対し所定位置にロックする付属具保持器の締めつけ機構の作動を示す図４と同様の断面図である。
【図８】
本発明の締めつけ機構のさらに細部を示す斜面図である。
【国際公開パンフレット】
2004511260.tif 000003
2004511260.tif 000004
2004511260.tif 000005
2004511260.tif 000006
2004511260.tif 000007
2004511260.tif 000008
2004511260.tif 000009
2004511260.tif 000010
2004511260.tif 000011
2004511260.tif 000012
2004511260.tif 000013
2004511260.tif 000014
2004511260.tif 000015
2004511260.tif 000016
2004511260.tif 000017
2004511260.tif 000018
2004511260.tif 000019
【国際公開パンフレット（コレクトバージョン）】
2004511260.tif 000020
2004511260.tif 000021
【国際調査報告】
2004511260.tif 000022
2004511260.tif 000023
2004511260.tif 000024
2004511260.tif 000025
2004511260.tif 000026